(57)【要約】【課題】  車椅子に乗っている人、松葉杖などを利用している人なども、乗りかごに設けられた扉の開閉を指示して、車椅子の前輪がエレベータホールと、乗りかごとの間にできた、ランニングクリアランスに挟まって、身動きが取れなくなってしまったり、松葉杖などを利用している人が転倒し、扉に挟まれたりする事故を完全に無くする。【解決手段】  車椅子２に乗っている利用者、松葉杖を使用している利用者などに、各リモコン３、４のいずれかを携帯し、利用者が乗りかご６に乗り降りする際、所定時間内に、これら各リモコン３、４のいずれかが操作されて、降り確認、乗り確認を示すリモコン信号が送出されたかどうかを確認し、この確認内容に基づき、乗りかご６の扉動作を制御する。【選択図】      図１
2005104680.tif 000002
【特許請求の範囲】
【請求項１】
エレベータの扉を遠隔制御するエレベータ扉遠隔制御装置において、
利用者によって携帯され、確認釦が操作されたとき、無線形式の確認指示信号を送信するリモコンと、
エレベータホールまたは乗りかご内に配置され、前記リモコンから送信された確認指示信号を受信する受信機と、
この受信機の受信内容に基づき、前記乗りかごの扉開閉動作を制御する制御盤と、
を備えたことを特徴とするエレベータ扉遠隔制御装置。
【請求項２】
エレベータの扉を遠隔制御するエレベータ扉遠隔制御装置において、
利用者によって携帯され、各階床釦のいずれかが操作されたとき、無線形式の呼び登録指示信号を送信するリモコンと、
エレベータホールまたは乗りかご内に配置され、前記リモコンから送信された呼び登録指示信号を受信する受信機と、
この受信機の受信内容に基づき、呼び登録を行う制御盤と、
を備えたことを特徴とするエレベータ扉遠隔制御装置。
【請求項３】
エレベータの扉を遠隔制御するエレベータ扉遠隔制御装置において、
利用者によって携帯され、予め決められた種類のＩＤカードが挿入された状態で各釦のいずれかが操作されたとき、無線形式の指示信号を送信するリモコンと、
エレベータホールまたは乗りかご内に配置され、前記リモコンから送信された指示信号を受信する受信機と、
この受信機の受信内容に基づき、指示された処理を行う制御盤と、
を備えたことを特徴とするエレベータ扉遠隔制御装置。
【請求項４】
エレベータの扉を遠隔制御するエレベータ扉遠隔制御装置において、
予め決られたＩＤが与えられた状態で利用者に渡され、この利用者によって、各釦のいずれかが操作されたとき、無線形式の指示信号を送信するリモコンと、
エレベータホールまたは乗りかご内に配置され、前記リモコンから送信された指示信号を受信する受信機と、
この受信機の受信内容に基づき、指示された処理を行う制御盤と、
を備えたことを特徴とするエレベータ扉遠隔制御装置。
【請求項５】
請求項１乃至４のいずれか１項に記載されたエレベータ扉遠隔制御装置において、
前記制御盤は、前記リモコンからの指示を受けていないとき、通常の運転手順で前記乗りかごを制御する、
ことを特徴とするエレベータ扉遠隔制御装置。
【発明の詳細な説明】
【技術分野】
【０００１】
本発明は、エレベータの扉を遠隔で操作するエレベータ扉遠隔制御装置に関する。
【背景技術】
【０００２】
現在のエレベータシステムでは、扉が開いてから、一定時間が経つと、自動的に扉が閉まり、また扉が閉じようとしている途中で何かが扉に接触したとき、ドアセーフティ機能によって、これを検出して、自動的に扉をリオープンする、いわゆる健在者向けの仕組みになっている。
【特許文献１】特開平８−１６９６７５号公報（敷居塞ぎ）
【特許文献２】特開２００１−２５０３４９（敷居）
【発明の開示】
【発明が解決しようとする課題】
【０００３】
ところで、エレベータシステムが設けられるビルの中には、病院など、車椅子に乗ったまま、エレベータを利用する人、松葉杖などを使いながら、エレベータを利用する人などが多いビルもある。
【０００４】
この場合、車椅子の前輪がエレベータホールと、乗りかごとの間にできたランニングクリアランスに挟まって、身動きが取れなくなってしまったり、松葉杖などを利用している人が転倒し、扉に挟まれたりするなど、現在のエレベータシステムの扉動作では、無くすことができない事故がしばしば発生していた。
【０００５】
このため、車椅子に乗っている人、松葉杖などを使用している人などにも、安全に利用することができるエレベータシステムの開発が強く望まれていた。
【０００６】
本発明は上記の事情に鑑み、請求項１では、車椅子に乗っている人、松葉杖などを利用している人など、エレベータの開釦、閉釦などを操作し難い人でも、扉の開閉を指示することができ、これによって車椅子の前輪がエレベータホールと、乗りかごとの間にできた、ランニングクリアランスに挟まって、身動きが取れなくなってしまったり、松葉杖などを利用している人が転倒し、扉に挟まれたりする事故を完全に無くすことができるエレベータ扉遠隔制御装置を提供することを目的としている。
【０００７】
また、請求項２では、車椅子に乗っている人、松葉杖などを利用している人など、呼び釦などを操作し難い人にも、呼びを入力して、目的階に移動することができ、これによってエレベータのバリアフリー化を促進することができるエレベータ扉遠隔制御装置を提供することを目的としている。
【０００８】
また、請求項３では、エレベータの各利用者のうち、車椅子に乗っている人、松葉杖を利用している人などのうち、予め決められた種類のＩＤカードを持つ利用者にだけ、エレベータの遠隔操作を行うことができ、これによってリモコン機能の乱用による弊害が発生するのを未然に防止しながら、車椅子に乗っている人、松葉杖などを利用している人の利便性を飛躍的に向上させることができるエレベータ扉遠隔制御装置を提供することを目的としている。
【０００９】
また、請求項４では、エレベータの各利用者のうち、通常の釦操作が困難であると認められた人が、予め決められた種類のＩＤカードを持っていない場合でも、エレベータの遠隔操作を行うことができ、これによってリモコン機能の乱用による弊害が発生するのを未然に防止しながら、通常の釦操作が困難であると認められた人などの利便性を飛躍的に向上させることができるエレベータ扉遠隔制御装置を提供することを目的としている。
【００１０】
また、請求項５では、車椅子に乗っている人、松葉杖を利用している人、あるいは通常の釦操作が困難であると認められた人などがエレベータを利用していないとき、通常の運転手順で乗りかごを運転して、健常者などに通常のエレベータとして使用することができるエレベータ扉遠隔制御装置を提供することを目的としている。
【課題を解決するための手段】
【００１１】
上記の目的を達成するために本発明は、請求項１では、エレベータの扉を遠隔制御するエレベータ扉遠隔制御装置において、利用者によって携帯され、確認釦が操作されたとき、無線形式の確認指示信号を送信するリモコンと、エレベータホールまたは乗りかご内に配置され、前記リモコンから送信された確認指示信号を受信する受信機と、この受信機の受信内容に基づき、前記乗りかごの扉開閉動作を制御する制御盤とを備えたことを特徴としている。
【００１２】
また、請求項２では、エレベータの扉を遠隔制御するエレベータ扉遠隔制御装置において、利用者によって携帯され、各階床釦のいずれかが操作されたとき、無線形式の呼び登録指示信号を送信するリモコンと、エレベータホールまたは乗りかご内に配置され、前記リモコンから送信された呼び登録指示信号を受信する受信機と、この受信機の受信内容に基づき、呼び登録を行う制御盤とを備えたことを特徴としている。
【００１３】
また、請求項３では、エレベータの扉を遠隔制御するエレベータ扉遠隔制御装置において、利用者によって携帯され、予め決められた種類のＩＤカードが挿入された状態で各釦のいずれかが操作されたとき、無線形式の指示信号を送信するリモコンと、エレベータホールまたは乗りかご内に配置され、前記リモコンから送信された指示信号を受信する受信機と、この受信機の受信内容に基づき、指示された処理を行う制御盤とを備えたことを特徴としている。
【００１４】
また、請求項４では、エレベータの扉を遠隔制御するエレベータ扉遠隔制御装置において、予め決られたＩＤが与えられた状態で利用者に渡され、この利用者によって、各釦のいずれかが操作されたとき、無線形式の指示信号を送信するリモコンと、エレベータホールまたは乗りかご内に配置され、前記リモコンから送信された指示信号を受信する受信機と、この受信機の受信内容に基づき、指示された処理を行う制御盤とを備えたことを特徴としている。
【００１５】
また、請求項５では、請求項１乃至４のいずれか１項に記載されたエレベータ扉遠隔制御装置において、前記制御盤は、前記リモコンからの指示を受けていないとき、通常の運転手順で前記乗りかごを制御することを特徴としている。
【００１６】
上記の構成において、請求項１では、エレベータの扉を遠隔制御するエレベータ扉遠隔制御装置において、利用者によって携帯されているリモコンの確認釦が操作され、無線形式の確認指示信号が送信されたとき、エレベータホールまたは乗りかご内に配置された受信機によって、前記リモコンから送信された確認指示信号を受信するとともに、この受信内容に基づき、制御盤によって、前記乗りかごの扉開閉動作を制御することにより、車椅子に乗っている人、松葉杖などを利用している人など、エレベータの開釦、閉釦などを操作し難い人でも、扉の開閉を指示して、車椅子の前輪がエレベータホールと、乗りかごとの間にできた、ランニングクリアランスに挟まり、身動きが取れなくなってしまったり、松葉杖などを利用している人が転倒し、扉に挟まれたりする事故を完全に無くすことができる。
【００１７】
なお、本発明において「無線形式」とは、無線通信の他に赤外線通信等、有線形式以外のすべての通信を包含するものとする。
【００１８】
また、請求項２では、エレベータの扉を遠隔制御するエレベータ扉遠隔制御装置において、利用者によって携帯されているリモコンに設けられた各階床釦のいずれかが操作され、無線形式の呼び登録指示信号が送信されたとき、エレベータホールまたは乗りかご内に配置された受信機によって、前記リモコンから送信された呼び登録指示信号を受信するとともに、この受信内容に基づき、制御盤によって、呼び登録を行うことにより、車椅子に乗っている人、松葉杖などを利用している人など、呼び釦などを操作し難い人にも、呼びを入力して、目的階に移動し、エレベータのバリアフリー化を促進する。
【００１９】
また、請求項３では、エレベータの扉を遠隔制御するエレベータ扉遠隔制御装置において、利用者によって携帯されているリモコンに、予め決められた種類のＩＤカードが挿入された状態で各釦のいずれかが操作され、無線形式の指示信号が送信されたとき、エレベータホールまたは乗りかご内に配置された受信機によって、前記リモコンから送信された指示信号を受信するとともに、この受信内容に基づき、制御盤によって、指示された処理を行うことにより、エレベータの各利用者のうち、車椅子に乗っている人、松葉杖を利用している人などのうち、予め決められた種類のＩＤカードを持つ利用者にだけ、エレベータの遠隔操作を行わせて、リモコン機能の乱用による弊害が発生するのを未然に防止しながら、車椅子に乗っている人、松葉杖などを利用している人の利便性を飛躍的に向上させる。
【００２０】
また、請求項４では、エレベータの扉を遠隔制御するエレベータ扉遠隔制御装置において、利用者によって携帯されている、ＩＤカード機能付きのリモコンに設けられた各釦のいずれかが操作され、無線形式の指示信号が送信されたとき、エレベータホールまたは乗りかご内に配置された受信機によって、前記リモコンから送信された指示信号を受信するとともに、この受信内容に基づき、制御盤によって、指示された処理を行うことにより、エレベータの各利用者のうち、通常の釦操作が困難であると認められた人が、予め決められた種類のＩＤカードを持っていない場合でも、エレベータの遠隔操作を行わせて、リモコン機能の乱用による弊害が発生するのを未然に防止しながら、通常の釦操作が困難であると認められた人などの利便性を飛躍的に向上させる。
【００２１】
また、請求項５では、請求項１乃至４のいずれか１項に記載されたエレベータ扉遠隔制御装置において、前記リモコンからの指示を受けていないとき、前記制御盤によって、通常の運転手順で前記乗りかごを制御することにより、車椅子に乗っている人、松葉杖を利用している人、あるいは通常の釦操作が困難であると認められた人などがエレベータを利用していないとき、通常の運転手順で乗りかごを運転して、健常者などに通常のエレベータとして使用する。
【発明の効果】
【００２２】
本発明によれば、請求項１のエレベータ扉遠隔制御装置では、車椅子に乗っている人、松葉杖などを利用している人など、エレベータの開釦、閉釦などを操作し難い人でも、扉の開閉を指示することができ、これによって車椅子の前輪がエレベータホールと乗りかごとの間にできたランニングクリアランスに挟まって、身動きが取れなくなってしまったり、松葉杖などを利用している人が転倒し、扉に挟まれたりする事故を完全に無くすことができる。
【００２３】
また、請求項２のエレベータ扉遠隔制御装置では、車椅子に乗っている人、松葉杖などを利用している人など、呼び釦などを操作し難い人でも呼びを入力して目的階に移動することができ、これによってエレベータのバリアフリー化を促進することができる。
【００２４】
また、請求項３のエレベータ扉遠隔制御装置では、エレベータの各利用者のうち、車椅子に乗っている人、松葉杖を利用している人などのうち、予め決められた種類のＩＤカードを持つ利用者だけがエレベータの遠隔操作を行うことができ、これによってリモコン機能の乱用による弊害が発生するのを未然に防止しつつ、車椅子に乗っている人、松葉杖などを利用している人の利便性を飛躍的に向上させることができる。
【００２５】
また、請求項４のエレベータ扉遠隔制御装置では、エレベータの各利用者のうち、通常の釦操作が困難であると認められた人が、予め決められた種類のＩＤカードを持っていない場合でも、エレベータの遠隔操作を行うことができ、これによってリモコン機能の乱用による弊害が発生するのを未然に防止しながら、通常の釦操作が困難であると認められた人などの利便性を飛躍的に向上させることができる。
【００２６】
また、請求項５のエレベータ扉遠隔制御装置では、車椅子に乗っている人、松葉杖を利用している人、あるいは通常の釦操作が困難であると認められた人などがエレベータを利用していないとき、通常の運転手順で乗りかごを運転して、健常者などに通常のエレベータとして使用することができる。
【発明を実施するための最良の形態】
【００２７】
図１は本発明によるエレベータ扉遠隔制御装置の一実施形態を示すブロック図である。
【００２８】
この図に示すエレベータ扉遠隔制御装置１は、車椅子２に乗っている利用者などによって操作されるＩＤカード挿入型のリモコン３と、エレベータホール５に設けられている呼び釦などを操作するのが困難な利用者などのうち、ＩＤカードを持っていない利用者によって操作されるＩＤカード機能付きのリモコン４とを備えている。また、各エレベータホール５の天井、乗りかご６内の天井などに配置され、赤外線を用いて、各リモコン３、４と通信を行う複数の受信機７と、ビルの機械室などに配置され、各受信機７によって受信された各リモコン３、４の操作内容に応じて、呼びを登録する処理、乗りかご６を昇降、停止する処理、乗りかご６の扉を開閉する処理などを行う制御盤８と、各エレベータホール５の壁、乗りかご６内の壁などに配置され、制御盤８によって、各リモコン３、４からの呼びが登録されているとき、点灯して、各リモコン３、４からの呼びが登録されたことを利用者に知らせる複数の専用動作表示灯９とを備えている。
【００２９】
そして、車椅子２に乗っている利用者などが各リモコン３、４のいずれかを操作して、各リモコン３、４から呼び登録指示を示すリモコン信号が送信され、各受信機７によって、これが受信されたとき、制御盤８によって、各専用動作表示灯９が点灯されるとともに、呼びが登録されて、乗りかご６内に利用者を乗せた後、各リモコン３、４から乗り確認指示を示すリモコン信号が送信されたかどうかがチェックされ、一定時間以内に、乗り確認指示を示すリモコン信号を受信できないとき、異常通報動作を行なって係員などを現場に派遣し、また一定時間以内に乗り確認指示を示すリモコン信号を受信できたとき、乗りかご６の扉を閉じて、利用者を目的階まで運ばせる。また、乗りかご６が目的階に到着し、乗りかご６から利用者を降りるとき、各リモコン３、４から降り確認指示を示すリモコン信号が送信されたかどうかがチェックされ、一定時間以内に、降り確認指示を示すリモコン信号を受信できないとき、異常通報動作を行なって係員などを現場に派遣し、また一定時間以内に降り確認指示を示すリモコン信号を受信できたとき、乗りかご６の扉を閉じて、通常の運転を再開する。
【００３０】
ＩＤカード挿入型のリモコン３は、図２の上面図に示す如く利用者を特定するのに必要なＩＤカード１０、例えば図３の（ａ）に示すような病院で発行された診察券１１、または図３の（ｂ）に示すような各デパートなどで発行されたクレジットカード１２の挿入口となるカード挿入口１３が形成された薄板状のリモコンケース１４と、リモコンケース１４の操作面上に配置され、ＩＤカード１０が挿入されてリモコン機能が有効になったとき、点灯するリモコン機能有効表示ランプ１５と、リモコンケース１４の操作面上に配置され、利用者が乗りかご６内に乗り込んだときに操作される乗り確認釦１６と、リモコンケース１４の操作面上に配置され、利用者が乗りかご６から降りたときに操作される降り確認釦１７と、リモコンケース１４の操作面上に配置され、目的階の入力用に使用される複数の階床釦（呼び釦）１８と、リモコンケース１４の操作面上に配置され、各階床釦１８によって設定された呼びを解除するときに操作されるキャンセル釦１９と、リモコンケース１４内に配置され、カード挿入口１３にＩＤカード１０が挿入されたとき、これを検出して、リモコン機能有効表示ランプ１５を点灯する処理、乗り確認釦１６、降り確認釦１７、各階床釦１８、キャンセル釦１９の操作内容に応じて、乗り確認、降り確認、各呼び登録指示、キャンセル指示などを示す赤外線信号（リモコン信号）を出射する処理などを行う信号処理基板２０とを備えている。
【００３１】
そして、カード挿入口１３にＩＤカード１０が挿入されたとき、リモコン機能有効表示ランプ１５を点灯して、リモコン機能が有効になったことを知らせるとともに、乗り確認釦１６、降り確認釦１７、各階床釦１８、キャンセル釦１９などが操作されたとき、操作内容に応じて、乗り確認、降り確認、各呼び登録指示、キャンセル指示などを示す赤外線信号（リモコン信号）が出射され、各受信機７で受光される。
【００３２】
また、ＩＤカード機能付きのリモコン４は、図４の上面図に示す如く薄板状のリモコンケース２５と、リモコンケース２５の操作面上に配置され、利用者が乗りかご６内に乗り込んだときに操作される乗り確認釦２６と、リモコンケース２５の操作面上に配置され、利用者が乗りかご６から降りたときに操作される降り確認釦２７と、リモコンケース２５の操作面上に配置され、目的階の入力用に使用される複数の階床釦（呼び釦）２８と、リモコンケース２５の操作面上に配置され、階床釦２８によって設定された呼びを解除するときに操作されるキャンセル釦２９と、リモコンケース２５内に配置され、乗り確認釦２６、降り確認釦２７、各階床釦２８、キャンセル釦２９の操作内容に応じて、乗り確認、降り確認、各呼び登録指示、キャンセル指示などを示す赤外線信号（リモコン信号）を出射する処理などを行う信号処理基板３０とを備えている。
【００３３】
そして、乗り確認釦２６、降り確認釦２７、各階床釦２８、キャンセル釦２９などが操作されたとき、操作内容に応じて、乗り確認、降り確認、各呼び登録指示、キャンセル指示などを示す赤外線信号（リモコン信号）が出射され、各受信機７で受光される。
【００３４】
次に、図５に示すフローチャートを参照しながら、エレベータ扉遠隔制御装置１の動作を説明する。
【００３５】
まず、車椅子２などに乗った利用者などがＩＤカード挿入型のリモコン３、またはＩＤカード機能付きのリモコン４のいずれか、例えばＩＤカード１０が挿入されて、リモコン機能有効表示ランプ１５が点灯しているＩＤカード挿入型のリモコン３を携帯し、エレベータホール５内などで各階床釦８のいずれかを押すと、リモコン３の信号処理基板２０によって、これが検知されて、押された階床釦１８に対応する呼び登録指示を示すリモコン信号が生成され、天井に向けて出射される。
【００３６】
そして、各受信機７のいずれかによって、これが受信されると（ステップＳ１）、制御盤８によって各専用動作表示灯９が点灯されるとともに（ステップＳ２）、利用者が居る階床と乗りかご６の現在位置とが同じであるかどうかがチェックされ、利用者が居る階床と乗りかご６の現在位置とが同じであれば（ステップＳ３）、乗りかご６の扉を開かせて、車椅子２に乗った利用者を乗りかご６内に乗り込ませる（ステップＳ５）。
【００３７】
また、利用者が居る階床と乗りかご６の現在位置とが同じであるかどうかをチェックしたとき、利用者が居る階床と乗りかご６の現在位置とが異なっていれば（ステップＳ３）、制御盤８によって乗りかご６の運転が開始され、リモコン３が操作された階に、乗りかご６が到着した時点で（ステップＳ４）、乗りかご６の扉を開かせ、車椅子２に乗った利用者を乗りかご６内に乗り込ませる（ステップＳ５）。
【００３８】
この後、制御盤８によって、各受信機７のいずれかが乗り確認を示すリモコン信号を受信したかどうか、乗りかご６側の扉を開いてから、１０分が経過したかどうかがチェックされ（ステップＳ６、Ｓ７）、乗りかご６の扉を開いてから１０分が経過しても、各受信機７が乗り確認を示すリモコン信号を受信しないとき（ステップＳ６）、車椅子２に乗った利用者が何らかの事故に巻き込まれたと判断して、監視室内などに設けられた監視盤から異常発報を出し、乗りかご６が停止している階床に係員などを派遣する（ステップＳ８）。
【００３９】
また、乗りかご６の扉を開いてから、１０分が経過する前に、各受信機７のいずれかが乗り確認を示すリモコン信号を受信すると（ステップＳ７）、制御盤８によって、乗りかご６の扉が閉じて（ステップＳ９）、乗りかご６の運転が開始され、リモコン３で指定された目的階に乗りかご６が到着したとき（ステップＳ１０）、乗りかご６の扉が開かれ、車椅子２に乗った利用者を乗りかご６から降ろす（ステップＳ１１）。
【００４０】
この後、制御盤８によって、各受信機７のいずれかが降り確認を示すリモコン信号を受信したかどうか、乗りかご６の扉を開いてから１０分が経過したかどうかをチェックし（ステップＳ１２、Ｓ１３）、乗りかご６の扉を開いてから１０分が経過しても、各受信機７が降り確認を示すリモコン信号を受信しないとき（ステップＳ１２）、車椅子２に乗った利用者が何らかの事故に巻き込まれたと判断して、監視室内などに設けられた監視盤から異常発報を出し、乗りかご６が停止している階床に係員などを派遣する（ステップＳ１４）。
【００４１】
また、乗りかご６の扉を開いてから１０分が経過する前に、各受信機７のいずれかが降り確認を示すリモコン信号を受信すると（ステップＳ１３）、制御盤８によって、各専用動作表示灯９が消灯するとともに（ステップＳ１５）、乗りかご６の扉が閉じられ、通常の運転手順で乗りかご６の運転が再開される（ステップＳ１６）。
【００４２】
このように、この実施形態では、車椅子２に乗っている利用者、松葉杖を使用している利用者などが、各リモコン３、４のいずれかを携帯し、利用者が乗りかご６に乗り降りする際、所定時間内に、これら各リモコン３、４のいずれかが操作されて、降り確認、乗り確認を示すリモコン信号が送出されたかどうかを確認し、この確認内容に基づき、乗りかご６の扉動作を制御するようにした。このため、車椅子２に乗っている人、松葉杖などを利用している人など、エレベータの開釦、閉釦などを操作し難い人でも、乗りかご６に設けられた扉の開閉を指示することができ、これによって車椅子２の前輪がエレベータホール５と乗りかごと６の間にできた、ランニングクリアランスに挟まって、身動きが取れなくなってしまったり、松葉杖などを利用している人が転倒し、扉に挟まれたりする事故を完全に無くすことができる。
【００４３】
また、この実施形態では、車椅子２に乗っている利用者、松葉杖を使用している利用者などによって携帯されている各リモコン３、４のいずれかが操作されて、呼び登録指示が送出されたとき、制御盤８に呼びを登録するようにしているので、椅子２に乗っている人、松葉杖などを利用している人など、エレベータホール５、乗りかご６などに設けられた各呼び釦などを操作し難い人にも、呼びを入力して、目的階に移動することができ、これによってエレベータのバリアフリー化を促進することができる。
【００４４】
また、この実施形態では、車椅子２に乗っている利用者、松葉杖を使用している利用者などがＩＤカード挿入型のリモコン３を使用する際、病院で発行された診察券１１、または各デパートなどで発行されたクレジットカード１２など、ＩＤ機能を持つＩＤカード１０が挿入されたとき、リモコン機能を有効にして、リモコン機能有効表示ランプ１５を点灯するようにしているので、エレベータの各利用者のうち、車椅子２に乗っている人、松葉杖を利用している人などのうち、予め決められた種類のＩＤカードを持つ利用者にだけ、エレベータの遠隔操作を行うことができ、これによってリモコン機能の乱用による弊害が発生するのを未然に防止しつつ、車椅子２に乗っている人、松葉杖などを利用している人の利便性を向上させることができる。
【００４５】
また、この実施形態では、ＩＤカード機能付きのリモコン４を使用するとき、このようなＩＤカード１０を不要にして、ＩＤカード１０を持たない車椅子２の利用者、松葉杖の利用者などにも、リモコン機能を利用するようにしているので、エレベータの各利用者のうち、通常の釦操作が困難であると認められた人が、予め決められた種類のＩＤカード１０を持っていない場合でも、エレベータの遠隔操作を行うことができ、これによってリモコン機能の乱用による弊害が発生するのを未然に防止しながら、通常の釦操作が困難であると認められた人などの利便性を向上させることができる。
【００４６】
また、この実施形態では、車椅子２に乗っている利用者、松葉杖を使用している利用者などによって携帯されている各リモコン３、４のいずれかが操作されていないとき、通常のエレベータとして機能するようにしているので、車椅子２に乗っている人、松葉杖を利用している人、あるいは通常の釦操作が困難であると認められた人などがエレベータを利用していないとき、通常の運転手順で乗りかご６を運転して、健常者などが通常のエレベータとして使用することができる。
【００４７】
なお、上述した実施形態では、赤外線式のリモコン３、４を使用するようにしているが、電波式のリモコン、あるいはＩＤ機能を持つ携帯電話機などによって、エレベータの制御を行うようにしても良い。
【００４８】
このようにしても、上述した実施形態と同様に、ＩＤ機能が設けられた携帯電話機などを持っていれば、車椅子２の利用者、松葉杖の利用者などが各リモコン３、４を携帯していないときにも、エレベータの遠隔操作を行うことができ、これによってリモコン機能の乱用による弊害が発生するのを未然に防止しながら、通常の釦操作が困難であると認められた人などの利便性を向上させることができる。
【図面の簡単な説明】
【００４９】
【図１】図１は本発明によるエレベータ扉遠隔制御装置の一実施形態を示すブロック図である。
【図２】図１に示すＩＤカード挿入型のリモコンの詳細な構成例を示す上面図である。
【図３】図２に示すＩＤカード挿入型のリモコンで使用されるＩＤカードの一例を示す上面図である。
【図４】図１に示すＩＤカード機能付きのリモコンの詳細な構成例を示す上面図である。
【図５】図１に示すエレベータ扉遠隔制御装置の動作例を示すフローチャートである。
【符号の説明】
【００５０】
１：エレベータ扉遠隔制御装置
２：車椅子
３、４：リモコン
４：リモコン
５：エレベータホール
６：乗りかご
７：受信機
８：制御盤
９：専用動作表示灯
１０：ＩＤカード
１１：診察券
１２：クレジットカード
１３：カード挿入口
１４：リモコンケース
１５：リモコン機能有効表示ランプ
１６：乗り確認釦
１７：降り確認釦
１８：階床釦
１９：キャンセル釦
２０：信号処理基板
２５：リモコンケース
２６：乗り確認釦
２７：降り確認釦
２８：階床釦
２９：キャンセル釦
３０：信号処理基板
【図１】
2005104680.tif 000003
【図２】
2005104680.tif 000004
【図３】
2005104680.tif 000005
【図４】
2005104680.tif 000006
【図５】
2005104680.tif 000007